(57)【特許請求の範囲】
【請求項１】
一方面に接着部が設けられた基紙と、前記接着部を介して基紙に対して貼合され、基紙の接着部形成面を被覆する被覆紙と、を有する情報隠蔽用シートであって、
前記情報隠蔽用シートは、表裏面がともに実質的に平坦であり、
前記被覆紙が基紙に対して剥離可能に貼合された剥離部と非剥離に貼合された非剥離部とを有し、
少なくとも前記非剥離部に隠蔽情報記入部を有し、
前記剥離部と前記非剥離部とはその境界で折り重ね合わせ可能に連接されて配置され、
前記接着部は、基紙の非剥離部側全体と剥離部側の略端縁部とが前記非剥離部にかかる被覆紙の部分に対して難剥離性に形成され、
前記剥離部にかかる被覆紙の部分を剥離させて剥離部にかかる接着部を露出させた後、前記剥離部と非剥離部とが重なるように前記境界にて折り重ねることで前記剥離部の接着部と非剥離部にかかる被覆紙とが接着されるとともに前記隠蔽情報記入部が隠蔽され、
かつ、前記折り重ねた状態で前記剥離部の接着部の略端縁部と重なる非剥離部の被覆紙の被隠蔽部に剥離しやすい易剥離部が設けられ、前記非剥離部と剥離部の接着後にこれらを引き剥がした際に前記易剥離部が前記剥離部の接着部にとられて剥離跡が形成されるようにした、
ことを特徴とする情報隠蔽用シート。
【請求項２】
前記被覆紙は、剥離部と非剥離部との境界に易切り離し線を有する請求項１記載の情報隠蔽用シート。
【請求項３】
前記剥離部は、被覆紙の接着部対向面の少なくとも剥離部の接着部に対向する部分が離型処理されている、請求項１または２記載の情報隠蔽用シート。
【請求項４】
剥離部と非剥離部とを折り重ねたときに、前記剥離部によって非剥離部の一部が被覆される、請求項１〜３の何れか１項に記載の情報隠蔽用シート。
【請求項５】
一方面に接着部を有する基紙と、基紙の前記接着部形成面を被覆する被覆紙とを有する情報隠蔽用シートであって、
前記情報隠蔽用シートは、表裏面がともに実質的に平坦であり、
前記被覆紙が基紙の接着部に剥離可能な状態で貼合されており、
前記基紙の被覆紙非貼合面の端側一部分に隠蔽情報記入部を有し、
前記接着部は、前記隠蔽情報記入部側と反対の端側部分において略端縁部に被覆紙非貼合面に難剥離性に形成され、
前記被覆紙を剥離した後、前記隠蔽情報記入部のある端側一部を接着剤形成面側に折り重ねさらに前記接着部が略端縁部に形成された端側部分を折り重ねる三つ折りとすることで、前記略端縁部に接着部が形成された端側部分と前記隠蔽情報記入部のある端側部分とが接着されるとともに前記隠蔽情報記入部が隠蔽され、
かつ、その三つ折りされた状態で前記略端縁部と重なる部分に剥離しやすい易剥離部が設けられ、接着後に前記隠蔽情報記入部のある端側一部と前記略端縁部の接着部を有する端側部分とを引き剥がした際に前記易剥離部が前記略端縁部の接着部にとられて剥離跡が形成されるようにした、
ことを特徴とする情報隠蔽用シート。
【発明の詳細な説明】
【技術分野】
【０００１】
本発明は、親展情報等の情報を他人に知られることなく郵送等の手段をもって伝達可能とする情報隠蔽用シートに関する。
【背景技術】
【０００２】
従来の情報隠蔽用シートは、剥離性粘着剤が塗布されていない情報記入部と剥離性粘着剤が塗布された粘着剤塗布部とが連接されているとともに、当該粘着剤塗布部が被覆紙で被覆されている構成をとり、所定の情報を前記情報記入部に記入した後に前記被覆紙を剥離して前記粘着剤塗布部を露出させ、その状態で情報記入部と粘着剤塗部とが重なるように折り畳むことにより、情報記入部と粘着剤塗布部とが再剥離可能に接着され、もって情報記入部に記入した情報の隠蔽がなされるように構成されている。そして、必要に応じて当該情報記入部から粘着剤塗布部を引き剥がすことによって開封されて、情報記入部に記載した情報が読み取り可能となる。
このような情報隠蔽用シートは、主に、企業から発送するダイレクトメール用途に利用されてきたが、近年、個人へのインクジェット式あるいはレーザー式のプリンタの普及に伴って、親族、友人、知人間等の個人から発送する葉書等にも情報隠蔽用シートを利用したいという要望が高まっている。
【特許文献１】特開平２００１−３３４７７７
【特許文献２】特開平２００１−０１１３５６
【特許文献３】特開平２００３−０２７０２６
【特許文献４】特開平２００４−２１７８３８
【発明の開示】
【発明が解決しようとする課題】
【０００３】
しかしながら、従来の情報隠蔽用シートは、以下の特に（１）〜（３）の点から家庭用、個人用に適するものではない。すなわち、従来の情報隠蔽用シートは、図示例のとおり、（１）一方面の一部（粘着剤塗布部）のみを被覆紙で被覆する必要があるため製造過程が煩雑で、企業発送のダイレクトメール用途など大量生産する場合にはコストに見合う価格で生産できるが、個人用途の少数ロット製造では価格が極めて高価となってしまう。
（２）また、粘着剤塗布部のみが被覆紙によって被覆されているため、情報記入部と被覆部分との間に段差があり、家庭用プリンタに多い枚葉式プリンタでは印刷中に被覆紙のエッジが引っ掛かって、印刷中に被覆紙が剥離する事故が生ずるおそれがある。
（３）さらに、情報記入部と被覆紙による被覆部との間の紙厚の差が大きくプリンタにおける搬送トラブル、印刷トラブル発生のおそれがある。
そこで、本発明の主たる課題は、プリンタ搬送性および印刷性に優れ、特に家庭用のプリンタでも簡易に印刷ができる形態であるとともに、コスト安に製造可能である情報隠蔽用シートを提供することにある。
他方で、従来の情報隠蔽用シートの問題点として、第三者が情報記入部から粘着剤塗布部を引き剥がして、隠蔽された情報を読み取った後に、再接着がなされた場合に、受取人が情報を第三者に情報が読み取られた、という事実を認識することができないという欠点があった。
そこで、本発明は、上記課題に加えて、隠蔽情報が第三者によって読み取られた場合には、その事実がわかるようにすることをも課題とする。
【課題を解決するための手段】
【０００４】
上記課題を解決した本発明およびその作用効果は次載のとおりである。
＜請求項１記載の発明＞
一方面に接着部が設けられた基紙と、前記接着部を介して基紙に対して貼合され、基紙の接着部形成面を被覆する被覆紙と、を有する情報隠蔽用シートであって、
前記情報隠蔽用シートは、表裏面がともに実質的に平坦であり、
前記被覆紙が基紙に対して剥離可能に貼合された剥離部と非剥離に貼合された非剥離部とを有し、
少なくとも前記非剥離部に隠蔽情報記入部を有し、
前記剥離部と前記非剥離部とはその境界で折り重ね合わせ可能に連接されて配置され、
前記接着部は、基紙の非剥離部側全体と剥離部側の略端縁部とが前記非剥離部にかかる被覆紙の部分に対して難剥離性に形成され、
前記剥離部にかかる被覆紙の部分を剥離させて剥離部にかかる接着部を露出させた後、前記剥離部と非剥離部とが重なるように前記境界にて折り重ねることで前記剥離部の接着部と非剥離部にかかる被覆紙とが接着されるとともに前記隠蔽情報記入部が隠蔽され、
かつ、前記折り重ねた状態で前記剥離部の接着部の略端縁部と重なる非剥離部の被覆紙の被隠蔽部に剥離しやすい易剥離部が設けられ、前記非剥離部と剥離部の接着後にこれらを引き剥がした際に前記易剥離部が前記剥離部の接着部にとられて剥離跡が形成されるようにした、
ことを特徴とする情報隠蔽用シート。
【０００５】
（作用効果）
前記情報隠蔽用シートは、表裏面がともに実質的に平坦であるため、プリンタにおける搬送トラブルが防止される。他方、基紙の一方面に設けた接着部を被覆紙で被覆する構成なので、構造が簡素であり製造容易でコストを安くすることができる。なお、実質的に平坦とは、被覆紙同士が重なり合う部分がなく、また、被覆紙によって被覆されていない部分があって被覆部と非被覆部との間の段差もないという意味であり、後述の切離し線等の形成に伴う微細な凹凸や極細のスリットあるいは、紙の抄紙上回避できない表面の凹凸やざらつき、あるいは印刷によるインキ層の厚みは許容するという意味である［請求項６についても同じ］。
また、剥離部における被覆紙の剥離が簡易となるとともに、接着後の再剥離がしやすいものとなる。
さらに、易剥離部を設けたので接着後に再剥離すると、易剥離部が接着部に取られて剥離されて剥離痕が形成され、第３者が隠蔽情報を読み取ったか否かの判断ができるようになる。
【０００６】
【０００７】
【０００８】
＜請求項２記載の発明＞
前記被覆紙は、剥離部と非剥離部との境界に易切り離し線を有する請求項１記載の情報隠蔽用シート。
【０００９】
（作用効果）
剥離部において被覆紙を接着層から剥離したのちに、当該剥離した部分のみを簡易に切り離すことが可能となる。
【００１０】
＜請求項３記載の発明＞
前記剥離部は、被覆紙の接着部対向面の少なくとも剥離部の接着部に対向する部分が離型処理されている、請求項１または２記載の情報隠蔽用シート。
【００１１】
（作用効果）
被覆紙の一方面の一部に離型処理するだけでよく製造が容易となる。
【００１２】
＜請求項４記載の発明＞
剥離部と非剥離部とを折り重ねたときに、前記剥離部によって非剥離部の一部が被覆される、請求項１〜３の何れか１項に記載の情報隠蔽用シート。
【００１３】
（作用効果）
非剥離部の一部が被覆され、他の部分は被覆されないため、当該被覆されない非剥離部の一部を、隠蔽情報以外の情報を記入する部分とすることができる。
【００１４】
＜請求項５記載の発明＞
一方面に接着部を有する基紙と、基紙の前記接着部形成面を被覆する被覆紙とを有する情報隠蔽用シートであって、
前記情報隠蔽用シートは、表裏面がともに実質的に平坦であり、
前記被覆紙が基紙の接着部に剥離可能な状態で貼合されており、
前記基紙の被覆紙非貼合面の端側一部分に隠蔽情報記入部を有し、
前記接着部は、前記隠蔽情報記入部側と反対の端側部分において略端縁部に被覆紙非貼合面に難剥離性に形成され、
前記被覆紙を剥離した後、前記隠蔽情報記入部のある端側一部を接着剤形成面側に折り重ねさらに前記接着部が略端縁部に形成された端側部分を折り重ねる三つ折りとすることで、前記略端縁部に接着部が形成された端側部分と前記隠蔽情報記入部のある端側部分とが接着されるとともに前記隠蔽情報記入部が隠蔽され、
かつ、その三つ折りされた状態で前記略端縁部と重なる部分に剥離しやすい易剥離部が設けられ、接着後に前記隠蔽情報記入部のある端側一部と前記略端縁部の接着部を有する端側部分とを引き剥がした際に前記易剥離部が前記略端縁部の接着部にとられて剥離跡が形成されるようにした、
ことを特徴とする情報隠蔽用シート。
【００１５】
（作用効果）
前記情報隠蔽用シートは、表裏面がともに実質的に平坦であるため、プリンタにおける搬送トラブルが防止される。他方、基紙の一方面に設けた接着層を被覆紙で被覆する構成なので、構造が簡素であり製造容易でコストを安くすることができる。
また、易剥離部を設けたので接着後に再剥離すると、易剥離部が接着部に取られて剥離されて剥離痕が形成され、第３者が隠蔽情報を読み取ったか否かの判断ができるようになる。
【００１６】
【００１７】
【発明の効果】
【００１８】
以上詳述のとおり、本発明によれば、プリンタ搬送性および印刷性に優れ、特に家庭用のプリンタでも簡易に印刷ができる形態であるとともに、コスト安に製造可能である情報隠蔽用シートが提供される。さらに、隠蔽情報が第三者によって読み取られた場合に、その事実がわかるように構成された隠蔽用シートも提供される。
【発明を実施するための最良の形態】
【００１９】
次いで、本発明の実施の形態を図面を参照しながら以下に詳述する。
＜第１の実施の形態＞
図１は、本形態の情報隠蔽用シートＸ１の正面図である。図２は、そのＩＩ−ＩＩ断面図である。本形態の情報隠蔽用シートＸ１は、基紙１に一方面に対してこれと同形状かつ同じ大きさの被覆紙２が基紙１の周縁からはみ出ることなく接着部１１を介して貼合されている。さらに、この情報隠蔽用シートＸ１は、被覆紙２が基紙１に対して剥離可能に貼合されている剥離部Ａと、非剥離に貼合されている非剥離部Ｂとを備える。本形態では、情報隠蔽用シートＸ１を二分して非剥離部Ａと剥離部Ｂとされており、両部は同サイズに形成されているが、図３および４に示す形態のように、非剥離部Ｂが剥離部Ａよりも広くなるようにしてもよい。
【００２０】
前記被覆紙２は、剥離部Ａと非剥離部Ｂとの間の境界位置にミシン目、スリットなどによる易切り離し線３が形成されており、特に図５および図６に示すように、剥離部Ａにおいて被覆紙２を剥離したのち当該切り離し線で切り離し、非剥離部Ｂのみ被覆紙２を残して分離除去することが可能とされている。
【００２１】
ここで基紙１および前記被覆紙２は、古紙を原料とする再生紙あるいはバージンパルプを原料とする非再生紙のいずれをも用いることができる。また、基紙の抄紙方法は、特に限定されず、洋紙の一般的な抄紙技術により抄紙することができる。原料パルプをスラリー化したのち、長網抄紙機、丸網抄紙機、ツインワイヤータイプの抄紙機、多層抄の抄紙機等の抄紙機等を使用して抄紙すればよい。
【００２２】
他方、接着部１１は、基紙１の被覆紙対向面に接着剤を塗布することにより形成されており、この接着部は、非剥離部Ｂ側全体と剥離部Ａ側の略端縁部とが難剥離性に形成され、基紙１における剥離部Ａ側の中央１２は剥離性に形成されている（剥離性部分は図中ではＨで示す、以下の他の形態においても同様）。従って、前記剥離部Ａにおいて被覆紙２を剥離除去した後に露出される剥離部Ａ側接着部は略端縁部１１Ａのみに難剥離接着性がある。このような範囲を限定して接着性を異ならしめるようにするには、まず、基紙１全体に非剥離性粘着剤や剥離性粘着剤を塗布した後、剥離部Ａ側中央部に網点印刷などの方法により、糊殺し剤あるいは離型剤を塗布して当該範囲の接着力を接着対象物（本形態では被覆紙）に対して再剥離可能な程度にまで抑制する方法が挙げられる。粘着剤としては、特開２００３−２７０２６、特開２００４−２１７８３８に開示される剥離性粘着剤、アクリル酸アルキルエステルを含有したアクリル共重合水性エマルジョン等の剥離性接着剤、エマルジョン系強粘着剤、ゴム系粘着剤、溶剤系粘着剤等の非剥離性粘着剤が使用可能である。
【００２３】
各種粘着剤の塗布は、エアナイフコーター、ブレードコーター、ロッドメタリングコーター、カーテンコーター、ロールコーター等の従来各種塗工機による塗工によって塗布することができる。粘着剤の塗布量は、用いる粘着剤の種類により適宜変更するが、好適には、乾燥重量で２〜４０ｇ／ｃｍ2である。
【００２４】
他方、離型剤としては、シリコン、長鎖アルキルポリマー、ポリオレフィン、アルキド樹脂、フッ素化合物等の離型剤を用いることができる。
【００２５】
離型剤の塗布方法は、エアナイフコーター、ブレードコーター、ロッドメタリングコーター、カーテンコーター、ロールコーター等の従来各種塗工機による塗工によって塗布することもできる。特に、模様印刷あるいはベタ印刷によって離型剤の塗布量や塗布分布を適宜調整することが容易なオフセット印刷、グラビア印刷、凸版印刷、凹版印刷など各種印刷による印刷塗工が好適である。
【００２６】
他方、剥離部Ａは、被覆紙２の剥離を可能とすべく、被覆紙２の接着部１１対向面２２が離型処理されている。離型処理としては、シリコン、長鎖アルキルポリマー、ポリオレフィン、アルキド樹脂、フッ素化合物等の離型剤を０．１〜２．５ｇ／ｍ2程度塗布する。塗布は、基紙との貼合に先立って、エアナイフコーター、ブレードコーター、ロッドメタリングコーター、カーテンコーター、ロールコーター等の従来各種塗工機による塗工やオフセット印刷、グラビア印刷、凸版印刷、凹版印刷等の従来各種印刷機による印刷塗工によって塗布することができるが、特に、模様印刷あるいはベタ印刷によって離型剤の塗布量や塗布分布を適宜調整することが容易なオフセット印刷、グラビア印刷、凸版印刷、凹版印刷など各種印刷による印刷塗工が好適である。
【００２７】
ここで、剥離部Ａにおける被覆紙２と基紙１との剥離強度（粘着力）は、ＪＩＳ  Ｚ  ０２３７の１０にある１８０度引きはがし粘着力の測定で０．０４９〜４．９Ｎ／５０ｍｍとなるようにするのが好適である。
【００２８】
他方、被覆紙２の非剥離部Ｂには、隠蔽情報記入部２０が形成されている。隠蔽情報記入部２０は、例えば、親展情報や金融機関に関する情報などの隠蔽情報を記載する箇所を指定するための文字・枠等でありオフセット印刷、グラビア印刷等によって適宜の枠線、文字、図形などを印刷して設けることができる。
【００２９】
さらに被覆紙２の非剥離部Ｂ側略端縁部に、部分的に剥離しやすい易剥離部２３が形成されている。この易剥離部２３は、接着部１１に達しない深さの二本の平行なスリット線２１，２１間および上下縁スリット２１Ａ，２１Ａと用紙縁との間にあり、剥離部Ａと非剥離部Ｂとを折り重ねたときに剥離部側接着部１１Ａと重なる位置にある。これらスリット線２１，２１Ａによって易剥離部２３は、紙層間剥離しやすく構成されている。他の易剥離部２３の形成方法として、スリット線２１，２１間に紙力減少剤を線状に塗布し、紙力を弱めることで紙層間剥離させることもできる。なお、易剥離部２３は、紙層間剥離ではなくスリット線２１，２１間の接着部対向面を接着部から剥離しやすいように離型処理して、接着部から剥離しやすいように構成することもできる。
【００３０】
また、少なくとも内側スリット線２１および上下縁部スリット線２１Ａは、剥離部Ａと非剥離部Ｂとを隠蔽情報記入部２０を内側にして重ね合わせたときに、難剥離性接着部１１Ａと剥離性接着部１２（Ｈ）の境界あるいはそれよりも剥離性接着部１２（Ｈ）側において重なる位置に形成されている。これにより、再剥離のときに層間剥離等して被覆紙表面のうちの隠蔽情報記入部形成位置が剥離性接着部がわにとられ、隠蔽情報記入部２０に記入した情報が読み取れなくなる事故が防止される。
【００３１】
次いで、上記説明の本形態の情報隠蔽用シートの使用方法例を説明する。
まず、プリンタ等のよって情報隠蔽用シートＸ１の隠蔽情報記入部等の適宜の箇所にそれぞれ情報を印字・印刷する。このとき、本形態の情報隠蔽用シートＸ１は、表裏面が実質的に平坦であることから搬送トラブル等が生ずることはない。
【００３２】
プリンタ等による必要情報の印字・印刷を終えたならば、前記剥離部Ａにおいて被覆紙２を剥離するとともに前記易切り離し線３により被覆紙２の剥離された部分を切り離し、剥離部側Ａ接着部を露出させる。
【００３３】
次いで、図７に断面図で示すように、露出された剥離部側接着部１１Ａと被覆紙２の一部が残る非剥離部Ｂとをその境界３Ａで折り重ね合わせることにより、剥離部側接着部１１Ａと非剥離部Ｂとが再剥離可能に接着されるとともに、前記非剥離部Ｂに形成された隠蔽情報記入部２０が剥離部側接着部１１Ａを含む面によって被覆され隠蔽される。なお、本形態の情報隠蔽用シートＸ１は、非剥離部Ｂと剥離部Ａとが同サイズであるので、非剥離部Ｂ全部が剥離部Ａによって被覆されるが、図３、４に示す非剥離部Ｂが剥離部Ａよりも広くなるように構成した形態Ｘ２には、非剥離部Ｂの一部が剥離部（剥離部側接着部面）Ａで被覆されることになる。
【００３４】
そして、前記隠蔽情報記入部２０に記入された隠蔽情報を読み取るさいには、非剥離部被覆紙面と剥離部側接着部面とを再剥離するが、このとき、図８および９に示すように、前記易剥離部２３が剥離部側接着部１１Ａに接着されて剥離されて非剥離部被覆紙面に剥離痕２４が形成される。
【００３５】
なお、本形態の変形例としては、例えば、基紙の剥離部側全部に粘着剤を塗布して接着部を設けるとともに、非剥離部（情報記入部）全面を粘着剤に対して剥型処理して、非剥離部（隠蔽情報記入部）と剥離部（剥離部側接着部）とが再剥離可能に接着するように構成された情報隠蔽用シートが挙げられる。
【００３６】
＜第２の実施の形態＞
本形態の情報隠蔽用シートは、隠蔽情報記入部に記入した隠蔽情報を隠蔽するにあたってシートを三つ折りにする形態である。図１０は、本形態の情報隠蔽用シートの正面図である。図１１は、そのＸＩ−ＸＩ断面図である。
【００３７】
この本形態の情報隠蔽用シートＸ３は、基紙１に対してこれと同形状かつ同じ大きさの被覆紙２が基紙周縁からはみ出ることなく接着部１１を介して全部が剥離可能に貼合されている。
【００３８】
本形態では、前記基紙１の被覆紙非貼合面Ｃの端側１／３部分Ｃ１に隠蔽情報記入部２０が設けられており、ここに枠線などがオフセット印刷等により印刷等されている。
【００３９】
さらに、この隠蔽情報記入部２０形成面Ｃ１には、部分的に剥離しやすい易剥離部２３が形成されている。この易剥離部２３は、前記情報記入部２０（Ｃ１）の紙中央部Ｃ２側に設けられた接着部１１に達しない深さの二本の平行なスリット線２１，２１間にあり、隠蔽情報記入部２０形成面Ｃ１を接着部１１側に折り返し、さらに当該隠蔽情報記入部２０が内面となるように折り畳むように三つ折りにしたときに、接着部１１と対面する位置にある。
【００４０】
これらスリット線２１，２１間に位置する易剥離部２３は、他の部分よりも紙力が弱くすることで紙層間剥離しやすく構成されている。スリット間の紙力を弱くするには、紙力減少剤を線状に塗布する方法を採ることができる。なお、易剥離部は、紙層間剥離ではなくスリット線間の接着部対向面を接着部から剥離しやすいように離型処理して、接着部から剥離しやすいように構成することもできる。
【００４１】
また、本形態では、少なくとも内側のスリット線２１および上下縁部スリット線２１Ａは三つ折り状態にしたときに、接着部１１Ａと剥離性接着部１２（Ｈ）の境界あるいはそれよりも剥離性接着部１２（Ｈ）がわに重なる位置に形成されている。これにより、再剥離のときに層間剥離等して被覆紙表面の特に隠蔽情報記入部形成位置が剥離性接着部がわにとられ、隠蔽情報記入部２０に記入した情報が読み取れなくなる事故が防止される。
【００４２】
一方、接着部１１は基紙１の被覆紙貼合面に粘着剤が塗布されて形成されている。本形態における接着部１１は、基紙１の情報記入部形成面（被覆紙非貼合面）Ｃと反対側の端側１／３の範囲Ｄ３における略端縁部と、その余の情報記入部形成面の２／３全体の範囲Ｄ１，Ｄ２が難剥離性に形成されており、基紙の情報記入部形成面と反対側の端側１／３の範囲における中央部が再剥離性に形成されている。このような範囲を限定した接着部１１の設け方としては、まず、基紙１全体に接着剤を塗布した後、接着力を抑制する部分（本形態では、基紙の情報記入部形成面と反対側の端側１／３の範囲における中央部）に糊殺し剤あるいは離型剤を塗布して当該範囲２２の接着力を抑制する。
【００４３】
被覆紙２は、接着部１１に対して剥離可能であるが、かかる剥離可能とするにあたっては、被覆紙２の接着部対向面２２が離型処理されることにより剥離可能とされている。離型処理としては、シリコン、長鎖アルキルポリマー、ポリオレフィン、アルキド樹脂、フッ素化合物等の離型剤を０．１〜２．０ｇ／ｍ2程度塗布する。塗布は、基紙との貼合に先立って、エアナイフコーター、ブレードコーター、ロッドメタリングコーター、カーテンコーター、ロールコーター等の従来各種塗工機による塗工によって塗布することができるが、特に、模様印刷あるいはベタ印刷によって離型剤の塗布量や塗布分布を適宜調整することが容易なオフセット印刷、グラビア印刷、凸版印刷、凹版印刷など各種印刷による印刷塗工が好適である。ここで、剥離部における被覆紙と基紙との剥離強度（粘着力）は、ＪＩＳ  Ｚ  ０２３７の１０にある１８０度引きはがし粘着力の測定で０．０４９〜４．９Ｎ／５０ｍｍとなるようにするのが好適である。
【００４４】
次いで、上記説明の本形態の情報隠蔽用シートＸ３の使用方法例を説明する。
まず、プリンタ等のよって情報隠蔽用シートＸ３の適宜の箇所にそれぞれ情報を印字・印刷する。このとき、本形態の情報隠蔽用シートＸ３は、表裏面が実質的に平坦であることから搬送トラブル等が生ずることはない。
【００４５】
プリンタ等による必要情報の印字・印刷を終えたならば、特に図１２および１３に示すように、前記被覆紙２を基紙１より剥離して接着部１１を露出させる。次いで、この接着部１１を露出させた状態で前記隠蔽情報記入部２０を接着部１１側に折り返し、当該隠蔽情報記入部２０（Ｃ１）の反対面の接着部Ｄ１と、当該折り重ねによってこれに対面する接着部Ｄ２とを接着する。このとき当該隠蔽情報記入部の反対面Ｄ１と当該折り重ねによってこれに対面する面Ｄ２とは、ともに全面が接着部１１とされているため強固にほぼ剥離不能に接着される。そして、図１４および１５に示すように、このときに接着されなかった余りの露出接着部Ｄ３と隠蔽情報記入部２０（Ｃ１）とが同一面となる。
【００４６】
この余りの露出接着部Ｄ３と隠蔽情報記入部２０（Ｃ１）とが同一面とされた状態から、さらにこれらが重なるように折り畳むことにより、図１６に断面図を示すように、前記の余りの露出接着部Ｄ３と隠蔽情報記入部２０（Ｃ１）とが再剥離可能に接着されるとともに、前記隠蔽情報記入部２０に記載された情報が隠蔽される。
【００４７】
そして、前記隠蔽情報記入部２０に記入された隠蔽情報を読み取るさいには、隠蔽情報記入部面２０と接着部面Ｄ３とを再剥離する。このとき前記易剥離部２３が接着部１１Ａに接着されて剥離されて隠蔽情報記入部面に剥離痕２４が形成される。
【００４８】
なお、本形態の変形例としては、例えば、基紙の被覆紙貼合面全部に粘着剤を塗布して接着部とするとともに、情報記入部全面を粘着剤に対して剥離可能に接着するように離型剤を網点印刷するなどして、接着後に適宜の剥離力となるように構成された情報隠蔽用シートが挙げられる。
【００４９】
＜第３の実施の形態＞
図１９に、本形態の情報隠蔽用シートＸ４の正面図、図２０に、そのＸＸ−ＸＸ断面図を示す。本形態の情報隠蔽用シートＸ４は、基紙１に一方面に対してこれと同形状かつ同じ大きさの被覆紙２が基紙１の周縁からはみ出ることなく接着部１１を介して貼合されている。さらに、この情報隠蔽用シートＸ４は、被覆紙２が基紙１に対して剥離可能に貼合されている剥離部Ａ１、Ａ２と、非剥離に貼合されている非剥離部Ｂとを備える。本形態に係る情報隠蔽用シートＸ４は、隠蔽情報記入部に記入した隠蔽情報を隠蔽するにあたってシートを三つ折りにする形態であり、図２２および図２３からも明らかなとおり、シートは三等分されてシートの両側部が剥離部Ａ１，Ａ２とされ、それらの間の中央部が非剥離部Ｂとされている。
【００５０】
接着部１１は、基紙１の非剥離部Ｂ側全体と一方の剥離部Ａ側の略端縁部とが難剥離性に形成されており、基紙１における一方の剥離部Ａ１の中央１２および他方の剥離部Ａ２全体は再剥離性に形成されている。従って、前記剥離部Ａ１，Ａ２において被覆紙２を剥離除去した後に露出される剥離部Ａ１側接着部は略端縁部１１Ａのみに難剥離接着性があり、剥離部Ａ１の中央と他方の剥離部Ａ２全体は再剥離接着性（図中Ｈ部分）である。このような範囲を限定して接着力が相違するように接着部１１を設ける方法としては、まず、基紙１全体に接着剤を塗布した後、剥離部Ａ１側中央部および他方の剥離部Ａ２側全体に網点印刷などの方法により、糊殺し剤あるいは離型剤を塗布して当該範囲の接着力を抑制する。粘着剤およびその塗布方法や糊殺し剤あるいは離型剤およびその塗布方法は第１の実施の形態と同様に行うことができる。
【００５１】
一方、前記被覆紙２は、剥離部Ａ１、Ａ２と非剥離部Ｂとの間の境界位置にミシン目、スリットなどによる易切り離し線３が形成されており、特に図２１および図２２に示すように、剥離部Ａ１，Ａ２において被覆紙２を剥離したのち当該切り離し線で切り離し、非剥離部Ｂのみ被覆紙２を残して分離除去することが可能とされている。
【００５２】
剥離部Ａ１，Ａ２においては被覆紙２の剥離を可能とすべく、被覆紙２の接着部１１対向面２２が離型処理されている、この離型処理は、第１の実施の形態と同様の処理とすることができる。剥離部Ａ１、Ａ２における被覆紙２と基紙１との好ましい剥離強度（粘着力）も第１の実施の形態と同様である。
【００５３】
他方、本形態Ｘ４では特徴的に被覆紙２の非剥離部Ｂに第１の隠蔽情報記入部２０Ａが形成され、基紙の両側剥離部Ａ１，Ａ２のうちの一方の剥離部（非接着性部が形成されていない方の剥離部、図示例では剥離部Ａ２）に第２の隠蔽情報記入部２０Ｂが形成されている。隠蔽情報記入部２０Ａ、２０Ｂは、第１の形態と同様に例えば、親展情報や金融機関に関する情報などの隠蔽情報を記載する箇所を指定するための文字・枠等でありオフセット印刷、グラビア印刷等によって適宜の枠線、文字、図形などを印刷して設けることができる。
【００５４】
さらに基紙１の剥離部Ａ２の非剥離部側略端縁部（第２の隠蔽情報記入部面）には、部分的に剥離しやすい易剥離部２３が形成されている。この易剥離部２３は、接着部１１に達しない深さの二本の平行なスリット線２１，２１間にある。易剥離部２３の具体的な構成は第１の実施の形態と同様である。また、本形態のシートも上下縁部スリット２１Ａを有する。
【００５５】
次いで、上記説明の本形態Ｘ４の情報隠蔽用シートの使用方法例を説明する。
まず、プリンタ等のよって情報隠蔽用シートＸ４の第１および第２の隠蔽情報記入部２０Ａ，２０Ｂ等の適宜の箇所にそれぞれ情報を印字・印刷する。このとき、本形態の情報隠蔽用シートＸ４は、表裏面が実質的に平坦であることから搬送トラブル等が生ずることはない。
【００５６】
プリンタ等による必要情報の印字・印刷を終えたならば、特に図２１および２２に示すように、剥離部Ａ１、Ａ２において前記被覆紙２を基紙１より剥離して接着部１１（１２）を露出させる。次いで、この接着部１１（１２）を露出させた状態で第２の前記隠蔽情報記入部２０Ｂが形成されている一方側部（Ａ２）を非剥離部Ｂの被覆紙面側に折り返し、当該第２の隠蔽情報記入部２０Ｂ（Ｃ１）の反対面の接着部Ｄ１と、当該折り重ねによってこれに対面する第１の情報記入部２０Ａが形成されている中央部の被覆紙側面Ｄ２とを接着する。このとき当該第２の隠蔽情報記入部の反対面Ｄ１と当該折り重ねによってこれに対面する面部Ｄ２とは、Ｄ１面が再剥離可能な接着性を有しているため再剥離可能に接着される。このとき非剥離部（中央部）の被覆紙面Ｄ２に形成されている第１の隠蔽情報記入部２０Ａが被覆されて隠蔽される。そして、図２３および２４に示すように、このときに接着されなかった余りの露出接着部Ｄ３と隠蔽情報記入部２０Ｂ（Ｃ１）とが同一面となる。
【００５７】
この余りの露出接着部Ｄ３と第２の隠蔽情報記入部２０Ｂ（Ｃ１）とが同一面とされた状態から、さらにこれらが重なるように折り畳むことにより、図２５に断面図を示すように、前記の余りの露出接着部Ｄ３と第２の隠蔽情報記入部２０Ｂ（Ｃ１）とが再剥離可能に接着されるとともに、前記第２の隠蔽情報記入部２０Ｂに記載された情報が隠蔽される。
【００５８】
そして、前記隠蔽情報記入部に記入された隠蔽情報を読み取るさいには、まず図２６に示されるように、第２の隠蔽情報記入部２０Ｂ形成面Ｃ１と接着部面Ｄ３とを再剥離する。このとき前記易剥離部２３が接着部１１Ａに接着されて剥離されて隠蔽情報記入部面に剥離痕２４が形成される。そして、第２情報記入部２０Ｂに記入した情報の読み取りが行えるようになる。さらに、図２７に示すように第２の隠蔽情報記入部２０Ｂ形成面Ｃ１の反対面Ｄ１と被覆紙２（Ｄ２面）との間で再剥離すると、第１の隠蔽情報記入部２０Ａに記入された隠蔽情報をも読み取ることができるようになる。このように、本形態では二箇の情報隠蔽箇所を形成することができ、より多くの隠蔽情報を一度に伝達することができる。
【００５９】
＜第４の実施の形態＞
第４の実施の形態Ｘ５は、図３０の正面図および図３１に示すその断面図から明らかであるように、基紙１の一部が被覆紙２から剥離される剥離部Ａ２を有する形態である。より詳述すると、本形態Ｘ５は、基紙１の一方面に対してこれと同形状かつ同じ大きさの被覆紙２が基紙１の周縁からはみ出ることなく接着部１１を介して貼合されており、さらに、この情報隠蔽用シートＸ５は、被覆紙２が基紙１に対して剥離可能に貼合されている第１剥離部Ａ１と、基紙が被覆紙に対して剥離可能に接着されている第２剥離部Ａ２とを備える。すなわち、本形態は、基紙１の一部分が被覆紙２であり、また被覆紙２の一部が基紙１である態様ともいえる。
【００６０】
本形態に係る情報隠蔽用シートＸ５は、隠蔽情報記入部に記入した隠蔽情報を隠蔽するにあたってシートを三つ折りにする形態であり、シートは三等分されてシートの両側部が剥離部Ａ１，Ａ２とされ、それらの間の中央部が非剥離部Ｂとされている。非剥離部Ｂの表裏面Ｃ２、Ｄ２面にそれぞれ、隠蔽情報記入部２０Ａ、２０Ｂが形成されている。
【００６１】
剥離部の具体的な構成については、第３の実施の形態と同様である。ただし、本形態では、第２剥離部Ａ２において基紙１が被覆紙２から剥離されるようにすべく、第２剥離部Ａ２においては基紙１の被覆紙２対向面が離型処理されており、また、第２剥離部Ａ２においては基紙１に易切り離し線３が形成されている。そして、第２剥離部Ａ２における接着剤層は被覆紙側に形成されている。なお、剥離部における被覆紙２および基紙１の離型処理の具体的態様は第１の形態と同様である。また、粘着力も第１の実施の形態で述べたのと同様である。
【００６２】
次いで、上記説明の本形態Ｘ５の情報隠蔽用シートの使用方法例を説明する。
まず、中央部Ｂの表裏面にある隠蔽情報記入部２０Ａ，２０Ｂ等に必要情報を印刷などして記入する。このとき、本形態も表裏面は実質的に平坦であることから搬送トラブル等が生ずることはない。
【００６３】
次いで、図３２から図３３に示すように、第１剥離部Ａ１において被覆紙２を基紙１から剥離除去し、第２剥離部Ａ２において被覆紙２から基紙１を剥離除去する。次いで、被覆紙２および基紙１の剥離によって露出する接着剤層露出部Ｃ１，Ｄ３をそれぞれ同一面にある隠蔽情報記入部２０Ａ、２０Ｂ面（Ｄ２，Ｃ２）に重ねるようにしてＺ字状に折り畳み各隠蔽情報を隠蔽する。
【００６４】
そして、図示はしないが、隠蔽情報を読み取るさいには、両側部をそれぞれ中央部Ｂから再剥離することにより行う。
【００６５】
なお、その他粘着材の組成や基紙、被覆紙、離型剤の組成等は第１の実施の形態と同様である。
【００６６】
（その他）
本発明にかかる、図３４、３５に示すとおり、第１の実施の形態に示す情報隠蔽用シートＸ１，Ｘ２がミシン目等の切り離し用線３０を介して複数連接され、それぞれを切り離して使用する形態とすることができる。また、図３６に示すとおり、第２の実施の形態に示す情報隠蔽用シートＸ３がミシン目等の切り離し用線３０を介して複数連接され、それぞれを切り離して使用する形態とすることもできる。
【産業上の利用可能性】
【００６７】
本発明は、親展情報を記載して郵送する親展葉書、支給金額を記載して給与受取人に渡す給料明細書、クレジット番号が記載された売上伝票など、特定人にのみ隠蔽情報を開示することが要求される用途において、利用可能である。
【図面の簡単な説明】
【００６８】
【図１】第１の実施の形態の情報隠蔽用シートの正面図である。
【図２】そのＩＩ−ＩＩ断面図である。
【図３】第１の実施の他の形態の情報隠蔽用シートの正面図である。
【図４】そのＩＶ−ＩＶ断面図である。
【図５】第１の実施の形態の情報隠蔽用シートの剥離部における被覆紙を剥離した状態を示す正面図である。
【図６】そのＶＩ−ＶＩ断面図である。
【図７】第１の実施の形態の情報隠蔽用シートの情報隠蔽状態の断面図である。
【図８】第１の実施の形態の情報隠蔽用シートの再剥離時の正面図である。
【図９】そのＩＸ−ＩＸ断面図である。
【図１０】第２の実施の形態の情報隠蔽用シートの正面図である。
【図１１】そのＸＩ−ＸＩ断面図である。
【図１２】第２の実施の形態の情報隠蔽用シートの被覆紙を剥離した状態の正面図である。
【図１３】そのＸＩＩＩ−ＸＩＩＩ断面図である。
【図１４】第２の実施の形態の情報隠蔽用シートの情報隠蔽部を折り返した状態の正面図である。
【図１５】そのＸＶ−ＸＶ断面図である。
【図１６】第２の実施の形態の情報隠蔽用シートの情報隠蔽時を示す断面図である。
【図１７】第２の実施の形態の情報隠蔽用シートの再剥離時の正面図である。
【図１８】そのＸＩＩＸ−ＸＩＩＸ断面図である。
【図１９】第３の実施の形態の情報隠蔽用シートの正面図である。
【図２０】そのＸＸ−ＸＸ断面図である。
【図２１】第３の実施の形態の情報隠蔽用シートの被覆紙を剥離した状態の正面図である。
【図２２】そのＸＸＩＩ−ＸＸＩＩ断面図である。
【図２３】第３の実施の形態の情報隠蔽用シートの第２の隠蔽情報記入部Ｃ１を折り返した状態の正面図である。
【図２４】そのＸＸＩＶ−ＸＸＩＶ断面図である。
【図２５】第３の実施の形態の情報隠蔽用シートの第１の隠蔽情報記入部をも被覆して、第１および第２の隠蔽情報記入部が被覆された状態を示す断面図である。
【図２６】第３の実施の形態の情報隠蔽用シートの再剥離時の第１の態様を示す正面図である。
【図２７】そのＸＸＶＩＩ−ＸＸＶＩＩ断面図である。
【図２８】第３の実施の形態の情報隠蔽用シートの再剥離時の第２の態様を示す正面図である。
【図２９】そのＸＸＩＸ−ＸＸＩＸ断面図である。
【図３０】第４の実施の形態の情報隠蔽用シートの正面図である。
【図３１】そのＸＸＸＩ−ＸＸＸＩ断面図である。
【図３２】第３の実施の形態の情報隠蔽用シートの剥離部において剥離紙および基紙を剥離した状態を示す断面図である。
【図３３】第３の実施の形態の情報隠蔽用シートの情報隠蔽状態を示す断面図である。
【図３４】第１の実施の形態の情報隠蔽用シートが連接されたシートを示す正面図である。
【図３５】第１の実施の他の形態の情報隠蔽用シートが連接されたシートを示す正面図である。
【図３６】第２の実施の形態の情報隠蔽用シートが連接されたシートを示す正面図である。
【符号の説明】
【００６９】
１…基紙、２…被覆紙、３…易切り離し線、３Ａ…境界、１１（１１Ａ）…接着部、１２…剥離性接着部（特に難剥離性接着部で囲まれている剥離性接着部）、Ｈ…剥離性接着部、２０…情報記入部、２１，２１Ａ…スリット線、２２…離型処理部、２３…易剥離部、２４…剥離痕、３０…切り離し用線、Ａ，Ａ１，Ａ２…剥離部、Ｂ…非剥離部、Ｘ１〜Ｘ５…情報隠蔽用シート。
【図１】
0004703401.tif 000002
【図２】
0004703401.tif 000003
【図３】
0004703401.tif 000004
【図４】
0004703401.tif 000005
【図５】
0004703401.tif 000006
【図６】
0004703401.tif 000007
【図７】
0004703401.tif 000008
【図８】
0004703401.tif 000009
【図９】
0004703401.tif 000010
【図１０】
0004703401.tif 000011
【図１１】
0004703401.tif 000012
【図１２】
0004703401.tif 000013
【図１３】
0004703401.tif 000014
【図１４】
0004703401.tif 000015
【図１５】
0004703401.tif 000016
【図１６】
0004703401.tif 000017
【図１７】
0004703401.tif 000018
【図１８】
0004703401.tif 000019
【図１９】
0004703401.tif 000020
【図２０】
0004703401.tif 000021
【図２１】
0004703401.tif 000022
【図２２】
0004703401.tif 000023
【図２３】
0004703401.tif 000024
【図２４】
0004703401.tif 000025
【図２５】
0004703401.tif 000026
【図２６】
0004703401.tif 000027
【図２７】
0004703401.tif 000028
【図２８】
0004703401.tif 000029
【図２９】
0004703401.tif 000030
【図３０】
0004703401.tif 000031
【図３１】
0004703401.tif 000032
【図３２】
0004703401.tif 000033
【図３３】
0004703401.tif 000034
【図３４】
0004703401.tif 000035
【図３５】
0004703401.tif 000036
【図３６】
0004703401.tif 000037